(57)【要約】【課題】喫煙を好む者がデスクワークをする際の使用に適し、照明機能と煙草臭の脱臭機能とを併せ持つコンパクトな卓上型照明機能付き煙草脱臭装置を提供すること。【解決手段】基台部１０と、基台部１０から上方に延設された支柱部２と、支柱部２の先端に配設された笠部３と、笠部３内に空気を流入させるためのファン４とを有する。笠部３は、筒状の外筒部３０と、外筒部３０の内周面に沿って環状に設けられたランプ収容領域３５と、ランプ収容領域３５の内周側に配置されたフィルター部５と、ランプ収容領域３５内に配置されたランプ６とを有する。フィルター部５は、少なくとも、フィルター部５を通過する空気中の異物を除去するためのプレフィルター５１と、当該空気中の臭い成分を吸着するメインフィルター５２とを備えている。【選択図】図１
2013085878.tif 000002
【特許請求の範囲】
【請求項１】
卓上に載置可能な卓上型照明機能付き煙草脱臭装置であって、
基台部と、該基台部から上方に延設された支柱部と、該支柱部の先端に配設された笠部と、該笠部内に空気を流入させるためのファンとを有し、
該笠部は、筒状の外筒部と、該外筒部の内周面に沿って環状に設けられたランプ収容領域と、該ランプ収容領域の内周側に配置されたフィルター部と、上記ランプ収容領域内に配置されたランプとを有し、
上記フィルター部は、少なくとも、該フィルター部を通過する空気中の異物を除去するためのプレフィルターと、当該空気中の臭い成分を吸着するメインフィルターとを備えていることを特徴とする卓上型照明機能付き煙草脱臭装置。
【請求項２】
請求項１に記載の卓上型照明機能付き煙草脱臭装置において、
上記外筒部の上方には、上記フィルター部に対面する排気口を備えると共に該排気口に空気を送るように上記ファンを配置した蓋部が配設されており、
上記笠部の下方から吸引された空気が上記フィルター部、上記ファン及び上記排気口を通過して下方から上方に向けて流動するよう構成されていることを特徴とする卓上型照明機能付き煙草脱臭装置。
【請求項３】
請求項１に記載の卓上型照明機能付き煙草脱臭装置において、
上記外筒部の上方には、該外筒部の上方開口部を閉塞する閉塞蓋部が配設されており、
上記外筒部の外周側面には、上記支柱部内に設けられた排気流路に連通する連通口が設けられており、
上記基台部には、上記支柱部の上記排気流路内の空気を吸引して外部に排気するよう上記ファンが配設されていることを特徴とする卓上型照明機能付き煙草脱臭装置。
【請求項４】
請求項１〜３のいずれか１項に記載の卓上型照明機能付き煙草脱臭装置において、
上記外筒部及び上記フィルター部は、その外形が円形状であり、上記プレフィルターは、四角形状のフィルター素材を、等間隔で設けられた平行な折り曲げ線上において山折り及び谷折りを交互に実施して重ね合わせた後、長手方向中央部を固定した状態で、両端を円弧状に広げて当接部を接合することにより形成された、全体形状が円形状で中心から放射状に山部及び谷部を有するプリーツ加工フィルターよりなることを特徴とする卓上型照明機能付き煙草脱臭装置。
【請求項５】
請求項１〜４のいずれか１項に記載の卓上型照明機能付き煙草脱臭装置において、
上記ランプは、ＬＥＤランプにより構成されていることを特徴とする卓上型照明機能付き煙草脱臭装置。
【請求項６】
請求項１〜５のいずれか１項に記載の卓上型照明機能付き煙草脱臭装置において、
上記外筒部の内周面は、下方に行くにつれて拡開するテーパ形状を呈しており、その傾き角度は、軸線に対して４０〜７０度の範囲にあることを特徴とする卓上型照明機能付き煙草脱臭装置。
【請求項７】
四角形状のフィルター素材を、等間隔で設けられた平行な折り曲げ線上において山折り及び谷折りを交互に実施して重ね合わせた後、長手方向中央部を固定した状態で、両端を円弧状に広げて当接部を接合することにより形成された、全体形状が円形状で中心から放射状に山部及び谷部を有することを特徴とするプリーツ加工フィルター。
【発明の詳細な説明】
【技術分野】
【０００１】
本発明は、卓上型照明機能付き煙草脱臭装置及びプリーツ加工フィルターに関する。
【背景技術】
【０００２】
従来、空気清浄機能と照明機能とを併せ持つ装置がいくつか提案されている（特許文献１〜３参照）。これらの装置は、照明機能を主体とした配置を採用したものが多く、比較的大型で複雑な構造を有している。
一方、いわゆるデスクワークを喫煙しながら行う場合に好適な装置、つまり、照明機能付きであって煙草臭の脱臭が可能な装置の開発が望まれている。しかしながら、現在のところは、卓上に載置できるコンパクトな形態で上記の要求を満たす装置は見あたらない。
【先行技術文献】
【特許文献】
【０００３】
【特許文献１】特開２００１−２８２０６号公報
【特許文献２】特開２０００−３１５４２０号公報
【特許文献３】特開平１１−３０６８５４号公報
【発明の概要】
【発明が解決しようとする課題】
【０００４】
本発明は、喫煙を好む者がデスクワークをする際の使用に適し、照明機能と煙草臭の脱臭機能とを併せ持つコンパクトな卓上型照明機能付き煙草脱臭装置を提供しようとするものである。また、この卓上型照明機能付き煙草脱臭装置に好適に適用可能なプリーツ加工フィルターを提供しようとするものである。
【課題を解決するための手段】
【０００５】
本発明の第１の形態は、卓上に載置可能な卓上型照明機能付き煙草脱臭装置であって、
基台部と、該基台部から上方に延設された支柱部と、該支柱部の先端に配設された笠部と、該笠部内に空気を流入させるためのファンとを有し、
該笠部は、筒状の外筒部と、該外筒部の内周面に沿って環状に設けられたランプ収容領域と、該ランプ収容領域の内周側に配置されたフィルター部と、上記ランプ収容領域内に配置されたランプとを有し、
上記フィルター部は、少なくとも、該フィルター部を通過する空気中の異物を除去するためのプレフィルターと、当該空気中の臭い成分を吸着するメインフィルターとを備えていることを特徴とする卓上型照明機能付き煙草脱臭装置にある（請求項１）。
【０００６】
本発明の第２の形態は、四角形状のフィルター素材を、等間隔で設けられた平行な折り曲げ線上において山折り及び谷折りを交互に実施して重ね合わせた後、長手方向中央部を固定して、両端を円弧状に広げて当接部を接合することにより形成された、全体形状が円形状で中心から放射状に山部及び谷部を有することを特徴とするプリーツ加工フィルターにある（請求項７）。
【発明の効果】
【０００７】
上記卓上型照明機能付き煙草脱臭装置は、上記基台部を卓上（机上）に載置することによってその全体を容易に卓上に設置することができる。また、上記基台部から延設された支柱部の先端に上記笠部が設けられているため、自ずと笠部の下方開口部が机の上方の空間に対面した配置となる。そのため、机上において生じた煙草の煙を効率よく笠部内に吸引することが可能となる。
【０００８】
また、上記笠部は、上記ランプ収容領域の内部に上記フィルター部を有している。そのため、上記フィルター部と上記ランプ収容領域に配置するランプの配置を径方向にずらすことができ、笠部の厚み寸法を比較的小さな寸法に抑えることができる。また、照明機能としてのランプと上記フィルター部とが空気の流通方向において重なり合っていないため、スムーズな空気吸引を実現することができる。
【０００９】
また、上記フィルター部は、異物を除去するための上記プレフィルターと、臭い成分を吸着する上記メインフィルターとを備えている。そのため、机上において生じた煙草の煙を含む空気は、フィルター部に吸引されることにより、それぞれのフィルターの作用が相俟って、効率よく脱臭効果を発揮することができる。
【００１０】
また、上記笠部に配設された上記ランプによって、机上を明るく照らすことができるので、別途照明器具を準備して配置する必要がない。それ故、上記卓上型照明機能付き煙草脱臭装置は、机上のスペースの有効利用にも適している。
【００１１】
次に、上記プリーツ加工フィルターは、四角形状の上記フィルター素材を折り曲げ加工した後、上記のごとく加工することにより、全体形状が円形状で中心から放射状に山部及び谷部を有するものとなる。これにより、上記プリーツ加工フィルターは、軸方向寸法が比較的小さく、かつ、上記山部と谷部を含むプリーツ加工形状による表面積の増大により、異物の捕獲性能の向上と通気抵抗の低減を図ることができる。
【００１２】
また、従来においては、全体形状が四角形のプリーツ加工フィルターは存在していたが、円形状のものは開発されていなかった。上記の円形のプリーツ加工フィルターの開発により、上述した卓上型照明機能付き煙草脱臭装置をはじめ、種々の空気清浄機や脱臭装置において円形状の通気部を容易に採用することができるようになる。
【図面の簡単な説明】
【００１３】
【図１】実施例１における、卓上型照明機能付き煙草脱臭装置の構成を示す説明図。
【図２】実施例１における、フィルター部を除去した状態の笠部を下方から見た構成を示す説明図。
【図３】実施例１における、ランプユニットの構成を示す説明図。
【図４】実施例１における、プレフィルターの作製方法を示す説明図。
【図５】実施例１における、プレフィルターを示す平面図。
【図６】実施例１における、プレフィルターの断面図（図５のＡ−Ａ線矢視断面図）。
【図７】実施例１における、プレフィルターの外周キャップの構造を示す軸方向から見た説明図。
【図８】実施例１における、プレフィルターの外周キャップの構造を示す径方向外方から見た説明図。
【図９】実施例１における、メインフィルターを示す平面図。
【図１０】実施例２における、フィルター部の構成を変更した例を示す説明図。
【図１１】実施例３における、卓上型照明機能付き煙草脱臭装置の構成を示す説明図。
【発明を実施するための形態】
【００１４】
上記卓上型照明機能付き煙草脱臭装置における上記ファンは、上記笠部におけるフィルター部の上方側を負圧にするような空気の流れを引き起こす位置であれば、種々の位置に配置することが可能である。
例えば、上記外筒部の上方には、上記フィルター部に対面する排気口を備えると共に該排気口に空気を送るように上記ファンを配置した蓋部が配設されており、上記笠部の下方から吸引された空気が上記フィルター部、上記ファン及び上記排気口を通過して下方から上方に向けて流動するよう構成されていてもよい（請求項２）。
【００１５】
この場合には、フィルター部を通過した空気をその直後に上方に排気させることができるため、圧損が生じにくく、スムーズな空気の流れを実現することができる。また、上記のごとく空気の流れが下方から上方へ向けた一方向であるため、フィルター部を通過した清浄な空気が再度笠部の下方に回り込むことを抑制することができ、効率のよい煙草脱臭効果を得ることができる。
【００１６】
また、ファン設置位置を変更した別の構成としては、上記外筒部の上方には、該外筒部の上方開口部を閉塞する閉塞蓋部が配設されており、上記外筒部の外周側面には、上記支柱部内に設けられた排気流路に連通する連通口が設けられており、上記基台部には、上記支柱部の上記排気流路内の空気を吸引して外部に排気するよう上記ファンが配設されている構成をとることもできる（請求項３）。
この場合には、上記笠部内にファンを配置する必要がなく、笠部の軽量化を図ることができる。また、この場合の上記基台部上の上記ファンからの排気方向は、上方向ではなく、水平方向に設定することが好ましい。これにより、フィルター部を通過した清浄な空気が再度笠部の下方に回り込むことを抑制することができる。
【００１７】
また、上記外筒部及び上記フィルター部は、その外形が円形状であり、上記プレフィルターは、四角形状のフィルター素材を、等間隔で設けられた平行な折り曲げ線上において山折り及び谷折りを交互に実施して重ね合わせた後、長手方向中央部を固定した状態で、両端を円弧状に広げて当接部を接合することにより形成された、全体形状が円形状で中心から放射状に山部及び谷部を有するプリーツ加工フィルターよりなることが好ましい（請求項４）。
【００１８】
この場合には、上記外筒部及び上記フィルター部の外形が円形状であるので、円環状の上記ランプ収容領域を設定することにより該ランプ収容領域と上記フィルター部の重なり合いを回避する構成を容易に採用することができる。
また、円形状のフィルター部を構成する上記プレフィルターとしては、表面積が大きく圧損が生じにくいものであって、比較的安価なものが好ましい。これに対し、上記プリーツ加工フィルターの採用は非常に有効である。
【００１９】
また、上記ランプは、ＬＥＤランプにより構成されていることが好ましい（請求項６）。ＬＥＤランプは、エネルギー効率が高く、また自由な形状や配置を選択し易い。そのため、例えば、上記ランプ収容領域のうち、上記笠部に接続されている上記支柱部から最も離れた端部側の光量を他の部位よりも高めるなどの対応を容易に実現することができる。
【００２０】
また、上記外筒部の内周面は、下方に行くにつれて拡開するテーパ形状を呈しており、その傾き角度は、軸線に対して４０〜７０度の範囲にある構成をとることが好ましい（請求項７）。この場合には、上記外筒部内に流入した空気をよりスムーズに上記フィルター部に導くことができる。上記傾き角度が４０度未満及び７０度を超える場合には、このような効果が生じにくい。
【実施例】
【００２１】
（実施例１）
上記卓上型照明機能付き煙草脱臭装置の実施例について、図１〜図９を用いて説明する。
本例の卓上型照明機能付き煙草脱臭装置１は、図１に示すごとく、卓上に載置可能な卓上型照明機能付き煙草脱臭装置であって、基台部１０と、該基台部１０から上方に延設された支柱部２と、該支柱部２の先端に配設された笠部３と、該笠部３内に空気を流入させるためのファン４とを有する。
笠部３は、筒状の外筒部３０と、該外筒部３０の内周面３１に沿って環状に設けられたランプ収容領域３５と、該ランプ収容領域３５の内周側に配置されたフィルター部５と、上記ランプ収容領域３５内に配置されたランプ６とを有する。
フィルター部５は、少なくとも、該フィルター部５を通過する空気中の異物を除去するためのプレフィルター５１と、当該空気中の臭い成分を吸着するメインフィルター５２とを備えている。
【００２２】
以下、さらに詳説する。
本例の卓上型照明機能付き煙草脱臭装置１は、同図に示すごとく、板状の基台部１０の上に電源ボックス１５を備えると共に、該電源ボックス１５を貫通して基台部１０の一端から上方へ伸びるように設けた支柱部２を有する。支柱部２は、下方から上方にいくにつれて、基台部１０から外方へ曲がった後に基台部１０に近づくように曲がった略Ｓ字状の形状を有している。
【００２３】
上記電源ボックス１５内には、後述するファン４及びランプ６への電力を供給するための電源装置（図示略）が収容されており、電源ボックス１５の上面には、ファン４及びランプ６を操作するための操作ボタン１６、１７が配設されている。そして、電源ボックス１５内の電源装置から延設された電線類は、上記支柱部２内を通って笠部３内まで到達し、後述する蓋部７内に配設されたファン４及びランプ収容領域３５内に配設されたランプユニット６２に連結されている。
【００２４】
上記支柱部２の先端には、上述したごとく笠部３が連結されている。笠部３は、該笠部３の外周面に配設された連結片部３９を介して支柱部２に回動可能に連結されており、ノブ３８を回転させるにより固定状態及び可動状態を変更できるように構成されている。
【００２５】
図１、図２に示すごとく、笠部３における外筒部３０及びフィルター部５は、その外形形状が円形状である。そして、外筒部３０は、その外周面及び内周面３１が、下方に行くにつれて拡開するテーパ形状を呈しており、その傾き角度は、軸線に対して４０〜７０度の範囲、具体的には５８°に設定してある。
【００２６】
笠部３は、図１に示すごとく、テーパ状の外筒部３０の内側に円筒状の隔壁部３２を有しており、隔壁部３２と外筒部３０との間の断面三角形状の環状空間が上記ランプ収容領域３５として設けられている。
隔壁部３２の下端部には、内方に突出した受け部３２１が設けられており、該受け部３２１によりプレフィルター５１及びメインフィルター５２を支持している。
【００２７】
ランプ収容領域３５内の上方には、ランプ設置台６１が全周にわたって配設されており、該ランプ設置台６１の下端面に、複数のランプユニット６２が搭載されている。図２に示すごとく、周方向４箇所にそれぞれＬＥＤランプにより構成されたランプ６を備えたランプユニット６２が配置されている。図３に示すごとく、各ランプユニット６２は、それぞれ９組のＬＥＤランプを備えた長方形状のものである。
【００２８】
ランプユニット６２の配置としては、図２に示すごとく、環状のランプ収容領域３５における支柱部２から最も離れた端部側の光量を他の部位よりも高めるよう周方向において偏った配置を採用している。
また、図１、図２に示すごとく、環状のランプ収容領域３５の下方の開口部分は、その全面が、透光性能を備えた透光板６９により覆われており、各ランプ６及びランプ収容領域３５内が異物により汚染されることを防止する構成が採用されている。
【００２９】
また、笠部３の外筒部３０の上方には、フィルター部５に対面する排気口７１を備えると共に排気口７１に空気を送るようにファン４を配置した蓋部７が配設されている。蓋部７は、一端に設けられた支点部７９において外筒部３０に対して回動可能に連結されており、フィルター交換時等に外筒部３０の上方開口部を開放できるように構成されている。
【００３０】
また、上記笠部３に収容されたフィルター部５は、それぞれ外形形状が円形状を呈するプレフィルター５１とメインフィルター５２とから構成されている。本例では、プレフィルター素材として、ポリエステルニードルパンチ不織布（前田工繊株式会社製  ＮＬＴ１００９５ＣＢ）を採用した。なお、フィルター素材は、適宜公知の他のものに変更可能である。
【００３１】
プレフィルター５１は、図４（ａ）（ｂ）に示すごとく、四角形状のフィルター素材５１０を、等間隔で設けられた平行な折り曲げ線５１１、５１２上において山折り及び谷折りを交互に実施して重ね合わせた後、図４（ｃ）（ｄ）に示すごとく、長手方向中央部を固定した状態で、両端を円弧状に広げて当接部を接合することにより形成されたものである。すなわち、プレフィルター５１は、全体形状が円形状で中心から放射状に山部５１３及び谷部５１４を有するいわゆるプリーツ加工フィルターである。山部５１３は、上記折り曲げ線５１１を頂点とした部分であり、谷部５１４は、上記折り曲げ線５１２を頂点とした部分である。図４（ｂ）〜（ｄ）及び図５においては、わかりやすくするため谷部５１４（折り曲げ線５１２）の記載は省略してある。
【００３２】
また、図５〜図８に示すごとく、プレフィルター５１の外周部には、外周キャップ５３が両面から被せられる。各外周キャップ５３は、プレフィルター５１の山部５１３に対応するキャップ谷部５３３と、プレフィルター５１の谷部５１４に対応するキャップ山部５３４とを周方向全周に交互に連ねてなる。各キャップ山部５３４の外周側面および内周側面には、三角形状の閉塞面５３５、３３６が設けられており、軸方向の表側となる端面は、図７に示すごとく、各キャップ山部５３４の裏側の谷となった部分５３４ｂと、各キャップ谷部５３３の裏側の山となった部分５３３ｂとが周方向全周に交互に連なった形状となる。
【００３３】
この外周キャップ５３をプレフィルター５１の両面から被せることにより、両者のキャップ山部５３４とキャップ谷部４３３とによってプレフィルター５１の両面を挟持した状態が得られ、プレフィルター５１のプリーツ加工形状を安定化させることができる。
【００３４】
また、メインフィルター５２は、図９に示すごとく、２枚の網目状プラスチックシート５２１の間に、吸着剤５２２を挟んだ構造のものを用いた。網目状プラスチックシートは、材質がポリエステルで、網目の大きさが１ｍｍ×１ｍｍのものを採用した。また、吸着剤５２２は、平均粒径が約２ｍｍの粒状の活性炭を用いた。活性炭の一部には、ホルムアルデヒドを分解可能な薬品およびアンモニアを分解可能な薬品を吸着させてある。なお、本例のメインフィルター５２は、フタムラ化学株式会社製のものである。
【００３５】
次に、本例の卓上型照明機能付き煙草脱臭装置１の作用効果について説明する。
本例の卓上型照明機能付き煙草脱臭装置１は、基台部１０を卓上（机上）に載置することによってその全体を容易に卓上に設置することができる。また、基台部１０から延設された支柱部２の先端に笠部３が設けられているため、自ずと笠部３の下方開口部が机の上方の空間に対面した配置となる。そのため、机上において生じた煙草の煙を効率よく笠部３内に吸引することが可能となる。
【００３６】
また、笠部３は、ランプ収容領域３５の内部にフィルター部５を有している。そのため、フィルター部５とランプ収容領域３５に配置するランプ６の配置を径方向にずらすことができ、笠部３の厚み寸法を比較的小さな寸法に抑えることができる。また、照明機能としてのランプ６とフィルター部５とが空気の流通方向において重なり合っていないため、スムーズな空気吸引を実現することができる。
【００３７】
特に、本例においては、上記排気口７１とファン４を配置した蓋部７が笠部３の上方、つまりフィルター部５の上方に配置されており、笠部３の下方から吸引された空気がフィルター部５、ファン４及び排気口７１を通過して下方から上方に向けて流動するよう構成されている。これにより、フィルター部５を通過した空気をその直後に上方に排気させることができるため、圧損が生じにくく、スムーズな空気の流れを実現することができる。また、上記のごとく空気の流れが下方から上方へ向けた一方向であるため、フィルター部５を通過した清浄な空気が再度笠部３の下方に回り込むことを抑制することができ、効率のよい煙草脱臭効果を得ることができる。
【００３８】
また、フィルター部５は、異物を除去するためのプレフィルター５１と、臭い成分を吸着するメインフィルター５２とを備えている。そのため、机上において生じた煙草の煙を含む空気は、フィルター部５に吸引されることにより、それぞれのフィルターの作用が相俟って、効率よく脱臭効果を発揮することができる。
【００３９】
また、プレフィルター５１は、上記の構造のプリーツ加工フィルターからなる。これは、四角形状のフィルター素材を折り曲げ加工した後、上記のごとく加工することにより、全体形状が円形状で中心から放射状に山部５１３及び谷部５１４を有するものとなる。これにより、プレフィルター５１は、軸方向寸法が比較的小さく、かつ、山部５１３と谷部５１４を含むプリーツ加工形状による表面積の増大により、異物の捕獲性能の向上と通気抵抗の低減を図ることができる。
【００４０】
そして、本例の卓上型照明機能付き煙草脱臭装置１は、笠部３に配設されたランプ６によって、机上を明るく照らすことができるので、別途照明器具を準備して配置する必要がない。それ故、卓上型照明機能付き煙草脱臭装置１は、デスク上のスペースの有効利用にも適している。
【００４１】
このように、本例によれば、喫煙を好む者がデスクワークをする際の使用に適し、照明機能と煙草臭の脱臭機能とを併せ持つコンパクトな卓上型照明機能付き煙草脱臭装置を提供することができる。
【００４２】
（実施例２）
本例の卓上型照明機能付き煙草脱臭装置１０２は、図１０に示すごとく、フィルター部５の構成を、プレフィルター５１の上にメインフィルター５２を２枚重ねて３層構成とした例である。その他は、実施例１と同様である。
この場合には、メインフィルター５２を増やした分だけ煙草臭の除去効果をさらに高めることができる。その他は実施例１と同様の作用効果が得られる。
【００４３】
（実施例３）
本例の卓上型照明機能付き煙草脱臭装置１０３は、図１１に示すごとく、実施例１の構造を基本として、空気の流れを根本的に変更したものである。すなわち、外筒部３０の上方には、外筒部３０の上方開口部を閉塞する閉塞蓋部８を配設されており、外筒部３０の外周側面には、支柱部２内に設けられた排気流路２７に連通する連通口３７が設けられている。基台部１０には、支柱部２の排気流路２７内の空気を吸引して外部に排気するよう上記ファン４が配設されている。ファン４は、実施例１における電源ボックス内に収容されており、排気口４７は、電源ボックス１５の両側面に開口している。
【００４４】
この場合には、笠部３内にファン４を配置する必要がなく、笠部３の軽量化を図ることができる。また、この場合の基台部１０上のファン４からの排気方向は、上方向ではなく、水平方向に設定されているので、フィルター部５を通過した清浄な空気が再度笠部３の下方に回り込むことを抑制することができる。
その他、実施例１と共通する構成部分からは上記と同様の作用効果が得られる。
【符号の説明】
【００４５】
１、１０２、１０３  卓上型照明機能付き煙草脱臭装置
１０  基台部
２  支柱部
３  笠部
３０  外筒部
３５  ランプ収容領域
４  ファン
５  フィルター部
５１  プレフィルター
５２  メインフィルター
６  ランプ
【図１】
2013085878.tif 000003
【図２】
2013085878.tif 000004
【図３】
2013085878.tif 000005
【図４】
2013085878.tif 000006
【図５】
2013085878.tif 000007
【図６】
2013085878.tif 000008
【図７】
2013085878.tif 000009
【図８】
2013085878.tif 000010
【図９】
2013085878.tif 000011
【図１０】
2013085878.tif 000012
【図１１】
2013085878.tif 000013